【手続補正書】
【提出日】平成25年2月20日(2013.2.20)
【手続補正１】
【補正対象書類名】特許請求の範囲
【補正対象項目名】全文
【補正方法】変更
【補正の内容】
【特許請求の範囲】
【請求項１】
自己拡張型補綴具搬送システムであって、
近位端部分および遠位端部分を有する外側管状構造体であって、前記遠位端部分は自己拡張型補綴具を受入れるように構成される外側管状構造体と、
ガイドワイヤに追従し、ハンドルに固着された近位端部分および第１のシール部材に固着された遠位端部分を有し、前記外側管状構造体内に配設されるように構成された内側管状部材であって、前記内側管状部材の少なくとも一部分が前記外側管状構造体に対して一定位置に保持されながら、前記外側管状構造体の少なくとも一部分が格納されるように、前記外側管状構造体の少なくとも一部分は前記内側管状部材に対して可動であり、前記外側管状構造体および前記内側管状部材が、第１および第２の端部を有する流体充填可能空間を形成するように、互いから半径方向に離間している内側管状部材と、を備え、
前記第１のシール部材は、前記流体充填可能空間の前記第１の端部を流体的に密閉するために、前記遠位端部分に近位の場所で前記内側管状部材にしっかり固定され、前記第１のシール部材は、前記内側管状部材から前記外側管状構造体まで延び、前記外側管状構造体と密閉係合状態にあり、
前記流体充填可能空間の前記第２の端部を流体的に密閉するために、前記ハンドルによって形成される前記流体充填可能空間の前記第２の端部に配置された第２のシールを備え、
前記外側管状構造体、前記内側管状部材、前記第１のシール部材、および前記第２のシールは定容積を有するチャンバを形成し、該定容積は、前記外側管状構造体の前記可動部分が前記内側管状部材に対して格納されるときに一定のままである、
ことを特徴とする自己拡張型補綴具搬送システム。
【請求項２】
前記流体充填可能空間は、前記流体充填可能空間を裏打ちするブラダーを含み、
前記ブラダーは、前記内側管状部材に対して可動である前記外側管状構造体に接触して前記ブラダーの外側表面に沿う少なくとも２つの長手方向移動適応拡張セクションを含み、それにより、前記ブラダーの前記外側表面の可動部分と前記少なくとも２つの長手方向移動適応セクションとの間の摺動なしで、このような長手方向移動に適応する、
請求項１に記載のシステム。
【請求項３】
前記流体充填可能空間は液体で充填され、
前記液体は生理食塩水である、
請求項１に記載のシステム。
【請求項４】
前記外側管状構造体から延び、前記流体充填可能空間に流体結合した流体入口ポートをさらに含み、
前記入口ポートに結合した流体源をさらに含む、
請求項１に記載のシステム。
【請求項５】
前記流体充填可能空間は、前記内側管状部材および前記外側管状構造体に平行でかつ前記内側管状部材と前記外側管状構造体との間に延びる別の管状部材を有さない、
請求項１に記載のシステム。
【請求項６】
前記外側管状構造体と、前記内側管状部材と、前記第１のシールおよび前記第２のシールとは、長さを有する流体充填可能チャンバを形成し、前記流体充填可能チャンバが液体で充填されているときに、前記外側管状構造体から補綴具を配置するのに十分な距離だけ前記外側管状構造体を格納する間、前記流体充填可能チャンバの長さが一定である、
請求項１に記載のシステム。
【請求項７】
前記内側管状部材の前記遠位端部分の領域内で前記外側管状構造体内に配設され、前記第１のシールに当接する補綴具をさらに含む、
請求項１に記載のシステム。
【請求項８】
前記補綴具はステント、またはステントグラフトである、
請求項７に記載のシステム。
【請求項９】
前記外側管状構造体、前記内側管状部材、ならびに前記第１のシールおよび前記第２のシールは、流体充填可能チャンバを形成し、前記流体充填可能チャンバは、配置構成において、前記補綴具を配置するために前記外側管状構造体の少なくとも一部分が前記内側管状部材に対して移動するときに一定長を有する、
請求項７に記載のシステム。
【請求項１０】
補綴具搬送システムであって、
外側管状構造体と、
ガイドワイヤに追従し、ハンドルに固着された近位端部分および遠位端部分を有し、前記外側管状構造体内に配設されるように構成された内側管状部材であって、前記内側管状部材が一定位置に保持されながら、前記外側管状構造体の少なくとも一部分が格納されるように、前記外側管状構造体の少なくとも一部分は前記内側管状部材に対して可動であり、前記外側管状構造体および前記内側管状部材は、第１および第２の密閉可能な端部を有する流体充填可能空間を形成するために、互いから半径方向に離間する内側管状部材と、
前記流体充填可能空間に流体を充填するために、前記外側管状構造体から延び、前記流体充填可能空間に流体結合するチューブと、を備えている、
ことを特徴とする補綴具搬送システム。
【請求項１１】
前記流体充填可能空間の一端を流体的に密閉するために、前記遠位端部分に近位の場所で前記内側管状部材にしっかり固定された第１のシールをさらに含み、前記第１のシールは、前記内側管状部材から前記外側管状構造体まで延び、前記外側管状構造体と密閉係合状態にあり、前記第１のシールは、前記内側管状部材の前記遠位端部分に面する第１の表面および前記流体充填可能空間に面する第２の表面を有する、
請求項１０に記載のシステム。
【請求項１２】
前記流体充填可能空間の前記第２の端部を流体的に密閉するために、前記流体充填可能空間の前記第２の端部において前記ハンドルの一部として第２のシールをさらに含み、
前記内側管状部材の遠位端部分の領域内で前記外側管状構造体内に配設される補綴具をさらに含む、
請求項１１に記載のシステム。
【請求項１３】
密閉可能端部は密閉され、前記外側管状構造体、前記内側管状部材、および密閉された端部は、流体充填可能チャンバを形成し、前記流体充填可能チャンバは、前記外側管状構造体の少なくとも一部分が前記内側管状部材に対して移動するときに、前記補綴具を配置できるように一定長を有する、
請求項１０に記載のシステム。
【請求項１４】
補綴具搬送システムであって、
外側管状構造体と、
ガイドワイヤに追従し、ハンドルに固着された近位端部分および第１のシール部材に固着された遠位端部分を有し、前記外側管状構造体内に配設されるように構成された内側管状部材であって、前記内側管状部材が一定位置に保持されながら、前記外側管状構造体の少なくとも一部分が格納されるように、前記外側管状構造体の少なくとも一部分は前記内側管状部材に対して可動であり、前記外側管状構造体および前記内側管状部材は、第１および第２の端部を有する流体充填可能空間を形成するために、互いから半径方向に離間する内側管状部材と、
前記内側管状部材から前記外側管状構造体まで延び、前記外側管状構造体に摺動接触状態にある第１のシールであって、前記内側管状部材の前記遠位端部分に面する第１の表面および前記流体充填可能空間に面する第２の表面を有する、第１のシールと、前記流体充填可能空間の前記第２の端部用の閉じた支持構造体として作用するため前記流体充填可能空間の前記第２の端部に配列された第２のシールとの間で前記流体充填可能空間を流体的に密閉するために、前記外側管状構造体内でかつ前記内側管状部材の外側に位置決めされた環状ブラダーとを備えている、
ことを特徴とする補綴具搬送システム。
【請求項１５】
前記環状ブラダーは、前記ブラダーの軸方向伸張および収縮を可能にするために、前記ブラダーの内壁および外壁上に波形セクションを含む、
請求項１４に記載の補綴具搬送システム。
【請求項１６】
前記ブラダーは、前記内側管状部材に対して可動である前記外側管状構造体に接触して前記ブラダーの外側表面に沿う少なくとも２つの長手方向移動適応拡張セクションを含み、それにより、前記ブラダーの前記外側表面の可動部分と前記少なくとも２つの長手方向移動適応セクションとの間の摺動なしで、こうした長手方向移動に適応する、
請求項１４に記載の補綴具搬送システム。
【請求項１７】
補綴具搬送システムであって、
近位端および遠位端を有し、前記近位端と前記遠位端との間にガイドワイヤ通路を有する内側管状部材であって、前記内側管状部材の前記遠位端は遠位停止部に固着され、前記内側管状部材の前記近位端はハンドルに固着される内側管状部材と、
近位端および遠位端を有する管状シースであって、前記シースの近位端は前記ハンドルに摺動可能に結合し、前記シースの少なくとも一部分は、前記内側管状部材および前記遠位停止部の一部分を囲みかつ前記一部分に対して摺動可能であり、配置前の構成において、自己拡張型補綴具は、前記遠位停止部の遠位で前記シースの前記遠位端内に圧縮されたデリバリ構成で保持され、それにより、前記シースを格納すると、前記遠位停止部は、前記自己拡張型補綴具の格納を阻止し、それにより、前記自己拡張型補綴具を、前記シースの前記遠位端から配置し放出させる管状シースと、を備え、
前記遠位停止部、前記管状シース、および前記ハンドルは、前記内側管状部材が通過する実質的に液密の流体充填可能チャンバを、前記遠位停止部と前記ハンドルとの間で前記シース内に作成するサイズに作られおよび構成され、加圧された非圧縮性流体は、前記実質的に液密の流体充填可能チャンバを充填し、それにより、前記自己拡張型補綴具を配置させるために前記シースが格納されるときに、前記遠位停止部から前記ハンドルまで圧縮性負荷が伝達される、
ことを特徴とする補綴具搬送システム。
【請求項１８】
前記実質的に液密の流体充填可能チャンバは、弁を通して加圧された流体源に接続される、且つ／または、
前記実質的に液密の流体充填可能チャンバは、前記加圧された非圧縮性流体を収容する環状ブラダー裏打ちを含む、
請求項１７に記載の補綴具搬送システム。